(57)【要約】【課題】複数の操作キーが操作されたことを触感で把握することができる技術を提供できる。【解決手段】表示部５４は複数の操作キーを表示し、表示部５４の表示面にはタッチパネル５１が設けられている。制御部５５は、タッチパネル５１を介してタッチパネル５１上の操作位置を取得すると、操作位置に操作キーが複数あるか判定する。操作位置に操作キーが複数ある場合、制御部５５は、振動駆動部５３を制御して、操作位置に操作キーが１つしかない場合や操作キーがない場合とはパターンが異なるように、圧電素子５２に電圧を印加してタッチパネル５１を振動させる。【選択図】図１
2015031982.tif 000002
【特許請求の範囲】
【請求項１】
複数の操作キーを表示する表示手段と、
該表示手段の前面に配置され、前記操作キーに対する操作を受け付けるタッチパネルと、
該タッチパネルを振動させる振動駆動手段と、
前記タッチパネルが複数の前記操作キーに対する操作を受け付けた場合に、前記振動駆動手段を制御して、前記タッチパネルが１つの前記操作キーに対する操作を受け付けた場合及び前記タッチパネルが前記操作キーに対応しない操作を受け付けた場合とは異なるパターンで前記タッチパネルを振動させる制御手段と
を備えたことを特徴とするタッチパネル装置。
【請求項２】
前記制御手段は、
前記タッチパネルが複数の前記操作キーに対する操作を受け付けた場合に、前記タッチパネルを振動させ、前記タッチパネルが１つの前記操作キーに対する操作及び前記タッチパネルが前記操作キーに対応しない操作を受け付けた場合に、前記タッチパネルを振動させないように前記振動駆動手段を制御する
ことを特徴とする請求項１に記載のタッチパネル装置。
【請求項３】
前記制御手段は、
前記タッチパネルが複数の前記操作キーに対する操作を受け付けた場合に、第１のパターンで前記タッチパネルを振動させ、前記タッチパネルが１つの前記操作キーに対する操作を受け付けた場合に、第２のパターンで前記タッチパネルを振動させるように前記振動駆動手段を制御する
ことを特徴とする請求項１に記載のタッチパネル装置。
【請求項４】
請求項１から３までのいずれか１項に記載のタッチパネル装置を備えたことを特徴とする画像形成装置。
【発明の詳細な説明】
【技術分野】
【０００１】
本発明は、表示部上にタッチパネルを設置したタッチパネル装置及び画像形成装置に関する。
【背景技術】
【０００２】
近年、表示部上にタッチパネルを設置したタッチパネル装置において、表示部が小さかったり、操作キー数が多かったりして、表示部上に小さな操作キーが複数表示されることがある。このような場合、操作キーが指で隠れてしまい、意図せず複数の操作キーが一度に操作されることがあり、どのような操作が受け付けられたのか把握しにくい。これについて、操作キーに対する操作がどのように受け付けられたのかユーザーに認識させる技術が提案されている（例えば、特許文献１を参照）。
【０００３】
特許文献１の技術では、タッチパネル上の操作位置に基づいて複数の操作キーの中から１つの操作キーを特定し、特定した操作キーを近接する他の操作キーよりも拡大表示する技術が提案されている。
【先行技術文献】
【特許文献】
【０００４】
【特許文献１】特開２００９−２６５７６８号公報
【発明の概要】
【発明が解決しようとする課題】
【０００５】
しかしながら、特許文献１の技術では、複数の操作キーが操作されたことをユーザーに認識させることができなかった。
【０００６】
本発明は上記課題に鑑みてなされたものであり、上記課題を解決する技術を提供することを目的とする。
【課題を解決するための手段】
【０００７】
本発明のタッチパネル装置は、複数の操作キーを表示する表示手段と、該表示手段の前面に配置され、前記操作キーに対する操作を受け付けるタッチパネルと、該タッチパネルを振動させる振動駆動手段と、前記タッチパネルが複数の前記操作キーに対する操作を受け付けた場合に、前記振動駆動手段を制御して、前記タッチパネルが１つの前記操作キーに対する操作を受け付けた場合及び前記タッチパネルが前記操作キーに対応しない操作を受け付けた場合とは異なるパターンで前記タッチパネルを振動させる制御手段とを備えたことを特徴とする。
また、前記制御手段は、前記タッチパネルが複数の前記操作キーに対する操作を受け付けた場合に、前記タッチパネルを振動させ、前記タッチパネルが１つの前記操作キーに対する操作及び前記タッチパネルが前記操作キーに対応しない操作を受け付けた場合に、前記タッチパネルを振動させないように前記振動駆動手段を制御してもよい。
また、前記制御手段は、前記タッチパネルが複数の前記操作キーに対する操作を受け付けた場合に、第１のパターンで前記タッチパネルを振動させ、前記タッチパネルが１つの前記操作キーに対する操作を受け付けた場合に、第２のパターンで前記タッチパネルを振動させるように前記振動駆動手段を制御してもよい。
本発明の画像形成装置は、上記に記載のタッチパネル装置を備えたことを特徴とする。
【発明の効果】
【０００８】
本発明によれば、複数の操作キーが操作されたことを触感で把握することができる技術を提供できる。
【図面の簡単な説明】
【０００９】
【図１】本発明に係る実施形態の画像形成装置の構成を示すブロック図である。
【図２】図１に示すタッチパネル装置の構成例を示す平面図である。
【図３】図２に示すＡ−Ａ’断面図である。
【図４】図１に示す画像形成装置の処理の流れを示すフローチャートである。
【図５】図１に示すタッチパネル装置の操作キーが操作される様子を示すイメージ図である。
【発明を実施するための形態】
【００１０】
以下、図を参照して本発明の実施形態を詳細に説明する。なお、以下の実施形態において、同様の機能を示す構成には、同一の符号を付してある。
【００１１】
画像形成装置１００は、図１に示すように、原稿読取部１と記憶部２と画像処理部３と印刷部４とタッチパネル装置５と制御部６とを備えている。
【００１２】
原稿読取部１は、図示しない原稿給紙装置により給紙されてきた原稿や、ユーザーによってプラテンガラスに載置された原稿に対して光を照射し、その反射光等を受光して原稿画像を読み取って画像データを生成するスキャナーである。
【００１３】
記憶部２は、半導体メモリやＨＤＤ（Hard Disk Drive）等の記憶手段であり、原稿読取部１によって生成された画像データが記憶される。
【００１４】
画像処理部３は、画像データに対して所定の画像処理を行う手段である。画像処理部３では、例えば、拡大縮小処理や、濃度調整、階調調整等の画像改善処理が行われる。
【００１５】
印刷部４は、記憶部２に記憶された画像データを印刷する印刷手段である。印刷部４は、例えば、記憶部２から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１６】
タッチパネル装置５には、タッチパネル５１と圧電素子５２と振動駆動部５３と表示部５４と制御部５５とが設けられている。図２を参照すると、表示部５４は、印刷枚数等の数値を入力するためのテンキー、設定情報を初期化させる指示を入力するためのリセットキー、複写動作を停止させたり、入力された数値を消去させたりするためのストップキー、印刷動作を開始させる出力指示を入力するためのスタートキー等の操作入力を受け付ける各種操作キーを表示する。操作キーは、リスト表示されてもよい。タッチパネル５１は、表示部５４の表示面に設けられ、操作者の指先やスタイラス等の押圧による入力を検知し、入力が検知された位置に対応する信号を出力することで、表示部５４に表示された操作キーに対する操作を受け付ける。
【００１７】
表示部５４としては、例えば液晶表示パネルを用いることができる。また、タッチパネル５１としては、例えば抵抗膜方式や静電容量方式等を用いることができ、本実施の形態では、押圧されると、押圧力に応じて微少量撓む（歪む）構造のものが用いられている。
【００１８】
表示部５４は、図３を参照すると、筐体１３内に収納保持され、表示部５４上には、弾性部材１４を介して、タッチパネル５１が保持されている。また、筐体１３には、表示部５４及びタッチパネル５１の周辺領域を覆うアッパーカバー１６が設けられており、当該アッパーカバー１６とタッチパネル５１との間に、弾性部材１５が配設されている。また、タッチパネル５１の裏面には、帯状の圧電素子５２が貼着されている。圧電素子５２は、表示部５４の表示を妨げないように表示領域の外に配置されており、タッチパネル５１を振動させる振動手段として機能する。振動駆動部５３は制御部５５の制御の下、圧電素子５２に電圧信号を印加してタッチパネル５１を振動させる。
【００１９】
制御部５５は、タッチパネル５１と振動駆動部５３と表示部５４とに接続され、ＲＯＭ（Read Only Memory）、ＲＡＭ（Random Access Memory）等を備えたマイクロコンピュータ等の情報処理部である。ＲＯＭにはタッチパネル装置５の動作制御を行うための制御プログラムが記憶されている。制御部５５は、ＲＯＭに記憶されている制御プログラムを読み出し、制御プログラムをＲＡＭに展開させることで、タッチパネル５１から入力された所定の指示情報等に応じてタッチパネル装置５全体の制御を行う。
【００２０】
画像形成装置１００の制御部６は、原稿読取部１と記憶部２と画像処理部３と印刷部４とタッチパネル装置５とに接続され、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部６は、ＲＯＭに記憶されている制御プログラムを読み出し、制御プログラムをＲＡＭに展開させることで、タッチパネル装置５から入力された所定の指示情報等に応じて画像形成装置１００全体の制御を行う。なお、画像形成装置１００の制御部６とタッチパネル装置５の制御部５５とを共用の構成としてもよい。
【００２１】
上記の構成における画像形成装置１００の処理の詳細について図４を参照して説明する。
【００２２】
タッチパネル５１は、ユーザーにより操作されたか検知する（ステップｓ１１）。操作されると（ステップｓ１１でＹｅｓ）、制御部５５は、タッチパネル５１が操作キーに対応する操作を受け付けたか判定する（ステップＳ１２）。なお、具体的には、タッチパネル５１は、操作面にマトリクス状に複数の座標が割り当てられており、表示部５４の操作キーは、タッチパネル５１の座標に対応付けられている。タッチパネル５１は、例えば抵抗膜方式で構成されている場合、押下された箇所の座標を示す電圧を出力する。制御部５５は、タッチパネル５１の出力電圧に基づいて、タッチパネル５１上のユーザーの操作位置を示す座標を取得する。制御部５５は、取得した座標に対応付けられた操作キーを判定することで、タッチパネル５１がどの操作キーに対する操作を受け付けたのか判定する。
【００２３】
タッチパネル５１が操作キーに対応する操作を受け付けた場合、制御部５５は、タッチパネル５１が複数の操作キーに対応する操作を受け付けたか判定する（ステップｓ１３）。タッチパネル５１が複数の操作キーに対応する操作を受け付けた場合、制御部５５は、振動駆動部５３を制御してタッチパネル５１を振動させて（ステップｓ１４）、ユーザーが誤って複数の操作キーを操作したことを報知する。そして、本処理が終了する。
【００２４】
一方、制御部５５は、タッチパネル５１が操作キーに対応する操作を受け付けなかった場合や（ステップｓ１２でＮｏ）、タッチパネル５１が１つの操作キーに対する操作を受け付けた場合（ステップｓ１３でＮｏ）、タッチパネル５１を振動させずに本処理を終了する。
【００２５】
上記の処理によれば、例えば図５に示すように、操作キーＢ１〜Ｂ９があるときに、Ｐ１、Ｐ２又はＰ３のように複数の操作キーに対する操作が受け付けられた場合、タッチパネル５１が振動し、複数の操作キーが操作されていることを報知する。Ｐ４やＰ５のように１つの操作キーに対する操作が受け付けられた場合、タッチパネル５１は振動しない。また、Ｐ６のように、操作キーに対応しない操作が受け付けられた場合もタッチパネル５１は振動しない。なお、図示でＰ１〜Ｐ６の円は、ユーザーのタッチパネル５１に対する接触エリアを示しており、タッチパネル５１により接触エリア内の操作キーに対する操作が受け付けられることを示している。
【００２６】
以上により、本実施形態によれば、タッチパネル５１が複数の操作キーに対する操作を受け付けた場合には、タッチパネル５１が１つの操作キーに対する操作を受け付けた場合、及びタッチパネル５１が操作キーに対応しない操作を受け付けた場合とは異なるパターンで、振動駆動部５３及び圧電素子５２（振動駆動手段）を介してタッチパネル５１を振動させることができる。つまり、タッチパネル５１が複数の操作キーに対する操作を受け付けた場合、タッチパネル５１が振動し、タッチパネル５１が１つの操作キーに対する操作を受け付けた場合や、操作キーに対応しない操作を受け付けた場合にはタッチパネル５１が振動しないので、ユーザーは誤って複数の操作キーを操作したことを触感で簡単に把握することができる。
【００２７】
なお、上記実施形態では、タッチパネル５１が１つの操作キーに対する操作を受け付けた場合や、操作キーに対応しない操作を受け付けた場合には、タッチパネル５１を振動させないものとして説明したが、これに限らず、複数の操作キーに対する操作を受け付けた場合とは別の振動パターンでタッチパネル５１を振動させてもよい。例えば、タッチパネル５１が複数の操作キーに対する操作を受け付けた場合に、第１の振動パターンでタッチパネル５１を振動させ、タッチパネル５１が１つの操作キーに対する操作を受け付けた場合に、第２の振動パターンでタッチパネル５１を振動させてもよい。
【００２８】
本発明は上述した実施の形態に限定されるものではなく、本発明の趣旨を逸脱しない範囲で種々様々に変更が可能であることは言うまでもない。
【符号の説明】
【００２９】
１  原稿読取部
２  記憶部
３  画像処理部
４  印刷部
５  タッチパネル装置
６  制御部
５１  タッチパネル
５２  圧電素子
５３  振動駆動部
５４  表示部
５５  制御部
１００  画像形成装置
【図１】
2015031982.tif 000003
【図２】
2015031982.tif 000004
【図３】
2015031982.tif 000005
【図４】
2015031982.tif 000006
【図５】
2015031982.tif 000007